(57)【要約】【課題】任意の開度に保持でき、ローコストで、安全で、しかも開閉の操作も容易な跳上式面格子落下防止装置を提供することを目的とする。【解決手段】面格子の上部を回動中心として回動する面格子を設けた跳上式面格子において、面格子内面中間部と面格子下方の下枠材との間に伸縮部材を設け、屋内側から面格子を開閉できるようにした跳上式面格子落下防止装置とした。【選択図】　図１
2004137849.tif 000002
【特許請求の範囲】
【請求項１】
面格子の上部を回動中心として回動する面格子を設けた跳上式面格子において、面格子内面中間部と面格子下方の下枠材との間に伸縮部材を設け、屋内側から面格子を開閉できるようにした跳上式面格子落下防止装置。
【請求項２】
伸縮部材は、パイプとパイプ内を摺動するラックギヤーと、ラックギヤーのラックと噛み合うクラッチとよりなる請求項１記載の跳上式面格子落下防止装置。
【発明の詳細な説明】
【０００１】
【発明の属する技術分野】
本発明は、跳上式面格子落下防止装置に関するものである。
【０００２】
【従来の技術】
面格子の上部を回動中心として回動する面格子を設けた跳上式面格子では、屋内側から面格子を屋外側に向けて押すと、面格子は上部の回動軸を中心に屋外側に回動し、庇状になる。この庇状の面格子を保持するものがなければ、面格子は自重で屋内側に向けて回動落下し、危険である。
【０００３】
跳上式面格子では、庇状の開放状態を保持するものが少ないが、開放状態を維持するものとして突っ張り棒を用いるものもある。また、急に、面格子が落下するのを防止するものとして、面格子と枠体との間にダンパーを設けたものもある。
【０００４】
【発明が解決しようとする課題】
跳上式面格子では、庇状の開放状態を保持するものがなければ危険であるし、突っ張り棒では任意の面格子の回動角度を維持することはできず、ダンパーを設けると高価となる。
【０００５】
【課題を解決するための手段】
そこで、本発明は、上記の事情に鑑み、跳上式面格子では、庇状の開放状態を保持するものがなければ危険であるし、突っ張り棒では任意の面格子の回動角度を維持することはできず、ダンパーを設けると高価である。これ等の問題を解決すべく、面格子の上部を回動中心として回動する面格子を設けた跳上式面格子において、面格子内面中間部と面格子下方の下枠材との間に伸縮部材を設け、屋内側から面格子を開閉できるようにした跳上式面格子落下防止装置とした。
【０００６】
また、本発明は、具体的には、伸縮部材は、パイプとパイプ内を摺動するラックギヤーと、ラックギヤーのラックと噛み合うクラッチとよりなる。
【０００７】
【発明の実施の態様】
本発明を添付する図面に示す具体的な実施例に基づいて、以下詳細に説明する。
【０００８】
図１において、面格子１は四角状枠内に嵌まり、四角状枠は縦枠材２と上枠材３と下枠材４とよりなる。
【０００９】
面格子１の内面中間部に上部軸受５を固着し、上部軸受５に対向する下枠材４の箇所に下部軸受６に固着する。
【００１０】
前記下部軸受６にパイプ７の基端を回転軸８を介して回動自在に設ける。このパイプ７にラックギヤー９を摺動自在に嵌め、ラックギヤー９の上端を回転軸１０を介して前記上部軸受５に回動自在に設ける。
【００１１】
ラックギヤー９のラック１１と係合して面格子１の落下を防止するクラッチ１２をパイプ７の上端部に設ける。
【００１２】
図２の分解斜視図に示すように、四角筒状のパイプ７の基端部を回転軸８を介して下部軸受６に回動自在に設け、下部軸受６は下枠材４にビス（図示せず）で固定する。
【００１３】
ラックギヤー９は、パイプ８に摺動自在に嵌まる四角柱状体で、一面にラック１１が刻設してある。このラックギヤー９の上端部を回転軸１０を介して上部軸受５に回動自在に設け、上部軸受５は面格子１内面中間部に固定する。
【００１４】
クラッチ１２は十字状の薄板の左右をパイプ７に外嵌めできるようにコ字状の抱持片１５に形成し、上部を前記ラックギヤー９のラック１１と係合できるように斜め前方に屈曲させた爪片１４に形成する。パイプ７の上端部の左右にピン１６を突設し、このピン１６をクラッチ１２の抱持片１５の支持孔１７に嵌め、ビス１８をピン１６に螺着して、クラッチ１２をピン１２の回りに回動自在に設ける。クラッチ１２の爪片１４が常時ラック１１と係合できるように、爪片１４を傾けるために若干屈曲させた板バネ１９をクラッチ１２の内面に設ける。面格子１を屋内側から押すと、面格子１は庇状に開く。操作片２０を押す力を解除すると、板バネ１９の力により爪片１４はラック１１と係合し、面格子１の開放状態を保持する。
【００１５】
面格子１を押し上げる時は、クラッチ操作は不要（自動ロック）で、クラッチ操作は面格子１を下降させる時のみ必要である。
【００１６】
クラッチ１２は十字状の薄板の左右をパイプ７に外嵌めできるようにコ字状の抱持片１５に形成し、上部を前記ラックギヤー９のラック１１と係合できるように斜め前方に屈曲させた爪片１４に形成する。パイプ７の上端部の左右にピン１６を突設し、このピン１６をクラッチ１２の抱持片１５の支持孔１７に嵌め、ビス１８をピン１６に螺着して、クラッチ１２をピン１６に回りに回動自在に設ける。クラッチ１２の爪片１４が常時ラック１１と係合できるように、爪片１４を傾けるために若干屈曲させた板バネ１９をクラッチ１２の内面に設ける。面格子１を屋内側から押すと、面格子１は庇状に開く。操作片２０を押す力を解除すると、板バネ１９の力により爪片１４はラック１１と係合し面格子１の開放状態を保持する。
【００１７】
面格子１を押し上げる時は、クラッチ操作は不要（自動ロック）で、クラッチ操作は面格子１を下降させる時のみ必要である。
【００１８】
面格子１を上昇させる時は、図３に示すように、クラッチ１２の爪片１４がラックギヤー９のラック１１と係合した状態で、面格子１を屋外側に向けて押すと面格子１は上昇する。面格子１を押すことを止めると、爪片１４がラック１１に係合しているのでその状態を保持する。したがって、面格子１の開度を任意の状態に保持できる。
【００１９】
面格子１を下降させる時は、図４に示すように、クラッチ１２の操作片２０を板バネ１９の付勢力に抗して押し下げると、爪片１４とラック１１との係合が外れて面格子１の下降が可能となる。操作片２０の押し下げを解除すると、板バネ１９の付勢力により爪片１４はラック１１と係合する。
【００２０】
なお、面格子１を上昇させる際、ラックギヤー９がガイドパイプ７により抜け外れないように図示してないが、基端を大径のストッパーにすればよい。
【００２１】
この伸縮部材は、面格子の中央に一個だけ設ける場合と、面格子の両端に二個設ける場合とがある。
【００２２】
面格子１は上枠材３に回動軸２１を介して回動可能に設けられている。面格子１が四角状枠に閉まってしまう際、ゆっくり閉まるように、図５に示す緩衝用巻きバネを、図１のように設ける。この緩衝用巻きバネは閉まってしまう際、抵抗するように設定する。
【００２３】
本発明の面格子は、種々の用途の面格子に使用できる。
【００２４】
図６に示す中央に伸縮部材２４を配置した日除兼用開閉式ルーバー２３、図７に示す開閉式格子２６、図８に示す庇兼用開閉式アートテント２５、図９に示す庇兼用開閉式採光パネル２７、図１０に示す跳上げ、巻上げ併用ＣＭテント２８、図１１に示す跳上げ、巻上げ格子付ＣＭテント２９などがある。
【００２５】
本発明の伸縮部材としては、今までに述べたものと替えて、柱状のラックギヤー９に替えて四角パイプ３０を用い、クラッチ１２の爪片１４を受け入れる孔３１を多数個穿設したものでよい。上端には化粧キャップ３２を固着する。
【００２６】
【発明の効果】
本発明は、上述のように、面格子の上部を回動中心として回動する面格子を設けた跳上式面格子において、面格子内面中間部と面格子下方の下枠材との間に伸縮部材を設け、屋内側から面格子を開閉できるようにした跳上式面格子落下防止装置であるので、跳上式面格子を簡単な装置で、任意の開度に保持でき、ローコストで、安全で、しかも開閉の操作も簡単である。
【図面の簡単な説明】
【図１】本発明の具体的一実施例の側面図である。
【図２】本発明の伸縮部材の分解斜視図である。
【図３】本発明の面格子を上昇させる伸縮部材の操作状態の側面図である。
【図４】本発明の面格子を下降させる伸縮部材の操作状態の側面図である。
【図５】本発明の回動軸に装着する緩衝用巻バネの斜視図である。
【図６】本発明の面格子が日除兼用開閉式ルーバーの正面図である。
【図７】本発明の面格子が開閉式格子の正面図である。
【図８】本発明の面格子が庇兼用開閉式アートテントの正面図である。
【図９】本発明の面格子が庇兼用開閉式採光パネルの正面図である。
【図１０】本発明の面格子が跳上げ・巻上げ併用ＣＭテントの正面図である。
【図１１】本発明の面格子が跳上げ・巻上げ併用格子付ＣＭテントの正面図である。
【図１２】本発明の伸縮部材の他の例の分解斜視図である。
【符号の説明】
１…面格子
２４…伸縮部材
７…パイプ
９…ラックギヤー
１１…ラック
１２…クラッチ
【図１】
2004137849.tif 000003
【図２】
2004137849.tif 000004
【図３】
2004137849.tif 000005
【図４】
2004137849.tif 000006
【図５】
2004137849.tif 000007
【図６】
2004137849.tif 000008
【図７】
2004137849.tif 000009
【図８】
2004137849.tif 000010
【図９】
2004137849.tif 000011
【図１０】
2004137849.tif 000012
【図１１】
2004137849.tif 000013
【図１２】
2004137849.tif 000014